(57)【要約】【課題】応力がかかってもシートが伸びてしまうことのない十分な強度を有しているとともに、下地の陥没などに対しては吸収できるような繊維補強遮水シートを用いた遮水工法を提供する。【解決手段】底面１０と法面１１からなる凹所に遮水シート１を敷設する遮水工法において、少なくとも法面に敷設する遮水シート１としてエラストマー中に経糸は２０ｋｇｆ／ｃｍ以上の強度を有し、緯糸５は０．１〜１．０ｋｇｆ／ｃｍ以下の強度を有するスダレを埋設した遮水シート１を用い、遮水シート１の重量がかかる法面１１の斜面に沿った方向に前記遮水シート１に埋設した緯糸方向をあわせて敷設してなる。【選択図】図４
2007075815.tif 000002
【特許請求の範囲】
【請求項１】
底面と法面からなる凹所に遮水シートを敷設する遮水工法において、少なくとも法面に敷設する遮水シートとしてエラストマー中に経糸は２０ｋｇｆ／ｃｍ以上の強度を有し、緯糸は０．１〜１．０ｋｇｆ／ｃｍ以下の強度を有するスダレを埋設した遮水シートを用い、遮水シートの重量がかかる法面の斜面に沿った方向に前記遮水シートに埋設した緯糸方向をあわせて敷設してなることを特徴とする繊維補強遮水シートを用いた遮水工法。
【発明の詳細な説明】
【技術分野】
【０００１】
本発明は、廃棄物処分場等の遮水工法において繊維補強遮水シートを用いた遮水工法に関するものであり、繊維補強遮水シートが応力により破断するのを防止しようとしたものである。
【背景技術】
【０００２】
近年、廃棄物処分場における汚水の漏れによる周囲への汚染が問題視され、廃棄物処分場に対して必ず遮水が行われている。
【０００３】
廃棄物処分場は通常、下地に深い穴を掘り、その穴の中に廃棄物を投棄してゆくものである。廃棄物から発生する汚水は下地中に浸透して周囲へ広がり、周囲の土地を汚染し、環境汚染につながってしまう。そのようなことから廃棄物処分場の下地には、ゴムや樹脂など様々な材質の遮水シートを全面に敷設し、廃棄物から発生したり雨水中に溶け込んだ汚水が下地中に浸透してしまわないようになっている。
【０００４】
遮水シートとしてゴムシートを用いる場合、特に処分場の法面に敷設すると、どうしても法面の下方側にシートが伸ばされてしまう。シートが伸びて、弛みができるほどになってしまうと、上方において大きなテンションがかかった状態になり、ちょっとしたことでシートの破断につながってしまう。
【０００５】
そのような状況を改善するために、ゴムシート中に基布を埋設したゴムシートを用いることが行われている。
【発明の開示】
【発明が解決しようとする課題】
【０００６】
確かに基布を埋設することにより耐衝撃性強度を向上させたゴムシートを遮水シートとして使用すると、法面などの大きな応力がかかる部分に使用してもシートが伸びるのを防止することができるが、このようなシートにはほとんど伸びが期待できず、問題となることがある。
【０００７】
例えば下地に陥没部分があった場合、その上に廃棄物の重量がかかると、基布の入っていないシートであると、シートが伸びることによってその陥没によるシートの落ち込みを吸収することができるが、基布入りのシートでシート自体に伸びが期待できないとその陥没部分でシートが破断してしまうことも考えられる。
【０００８】
破断が生じるとそれが仮に一部分であっても漏水の問題が発生する。また、一度、一部分が破断すると特にその部分が法面のような応力のかかるところであれば、破断部分から亀裂が更に伸びてしまい、大きな亀裂が入ってしまうということにもなりかねない。
【０００９】
そこで、本発明では応力のかかるところであってもシートが伸びてしまうことのない十分な強度を有しているとともに、下地の陥没などに対しては吸収できるような繊維補強遮水シートを用いた遮水工法の提供を目的とする。
【課題を解決するための手段】
【００１０】
本発明の請求項１では、底面と法面からなる凹所に遮水シートを敷設する繊維補強遮水シートを用いた遮水工法において、少なくとも法面に敷設する遮水シートとしてエラストマー中に経糸は２０ｋｇｆ／ｃｍ以上の強度を有し、緯糸は０．１〜１．０ｋｇｆ／ｃｍ以下の強度を有するスダレを埋設した遮水シートを用い、遮水シートの重量がかかる法面の斜面に沿った方向に前記遮水シートに埋設した緯糸方向をあわせて敷設してなることを特徴とする。
【発明の効果】
【００１１】
このような構成を採用することによってスダレの経糸側は２０ｋｇｆ／ｃｍ以上の強度を有しており強度を保持することができるので、法面（斜面）に敷設した遮水シートのシート自身の重量によって、斜面に沿った方向の応力がかかってもシートが伸びてしまうということはないが、部分的な陥没部分に対しては、０．１〜１．０ｋｇｆ／ｃｍの強度を有する緯糸が切断することでシートが伸び、陥没部分に沿って沈み込むことができるので、陥没部分においてシート上から重量がかかっても緯糸方向の伸びで吸収することができる。本来、このような作用効果をねらう場合、緯糸はなくてもよいのであるが、製造上の加工性を良くするために緯糸で経糸をまとめていることが好ましい。また、大きな応力のかかる法面などに敷設した場合でも、経糸側は十分にその応力に耐えることができ、また、緯糸は容易に切断することができるので、陥没部分などの不陸があったとしてもその形状に沿い、シートの破断を招くことがない。
【発明を実施するための最良の形態】
【００１２】
図１は本発明に用いる繊維補強遮水シートの断面図である。本発明に用いる繊維補強遮水シート１は、加硫ゴムなどのエラストマー２からなるシートであり、そのエラストマー２中にはスダレ３が埋設されている。
【００１３】
エラストマー２として用いられる素材としては、クロロプレンゴム（ＣＲ）、ブチルゴム（ＩＩＲ）、スチレンブタジエンゴム（ＳＢＲ）、エチレンプロピレンターポリマー（ＥＰＴ）等の単体もしくはブレンド物を用いることができ、特に限定するものではないが、エチレンプロピレンターポリマー（ＥＰＴ）もしくはエチレンプロピレンターポリマー（ＥＰＴ）とブチルゴム（ＩＩＲ）のブレンド物を用いることが、常に外気にさらされ太陽光を浴びる状態にある遮水シートとして使用するには好ましい。
【００１４】
スダレ３は図２に示すように太くて強度のある経糸４と細くて経糸を揃える程度の強度しかない緯糸５からなっている。そのスダレ３の素材として用いることができるのは、ポリエステル繊維、ポリアミド繊維等の合成繊維や綿を挙げることができる。
【００１５】
本発明では遮水シートとして、例えば法面に敷設した場合に、斜面の縦方向には遮水シートの重量によって応力がかかることになり、経糸４によってその応力に耐えるように遮水シート１を配置する。経糸４にはそのような応力に耐えうるだけの強度が必要となるので、強度としては２０ｋｇｆ／ｃｍ以上の糸を用いる。
【００１６】
そのような敷設構成を採ることによって、底面が沈下したとしても、スダレの緯糸方向には緯糸が切断し、遮水シートが伸びることができることより、沈下を吸収することができる。全く伸びない織布などを埋設した遮水シートを用いていれば、沈下した底面の上に遮水シートが浮いたような状態となって、大きな張力がかかってしまい、破断してしまうということにもなりかねない。
【００１７】
また、緯糸５としては本発明を適用する用途を考えるとシートを破断してしまわないように、ちょっとした力がかかると簡単に切断してしまうような強度的には、できる限り小さなものが好ましい。しかし、スダレ３を製造する際や、エラストマー中に埋設して遮水シート１を製造する際に、簡単に切断することなく切断したとしてもわずかであり、経糸４を揃えることができ製造に影響を及ぼさない程度の強度は必要であり、０．１〜１．０ｋｇｆ／ｃｍの糸を用いる。
【００１８】
経糸４の強度が２０ｋｇｆ／ｃｍ未満であると通常廃棄物処分場などの法面に敷設した場合にかかる応力に耐え切れず繊維補強遮水シート１が伸びてしまう。
【００１９】
緯糸５の強度が０．１ｋｇｆ／ｃｍ未満であると、スダレ３の製造時や、繊維補強遮水シート１の製造時に簡単に切断してしまい、経糸４を揃えた状態で保持することができなくなり、１．０ｋｇｆ／ｃｍを超えると繊維補強遮水シート１を敷設した後に下地の陥没部などの不陸に沿うことが難しくなり、場合によっては遮水シートの破断にもつながってしまうので好ましくない。
【００２０】
以上のような構成を採ることによって、繊維補強遮水シート１は経糸４が揃えられ整列した状態のスダレ３を埋設したものを得ることができ、かつ縦方向の応力には十分に耐えて、伸びを防止し、シートの耐衝撃性等の物性を向上させることができる。横方向の応力に対しては図３に示すように緯糸５が容易に切断することによって、遮水シート１が伸びることができるので、その応力を吸収し、遮水シートの破断を防止することができる。
【００２１】
次に、遮水工法の手順について説明する。図４は本発明の遮水工法を適用する廃棄物処分場の断面図であり、廃棄物を投棄するための凹所は、底面１０と法面１１からなっている。
【００２２】
底面１０には補教材である基布やスダレを埋設していない、加硫ゴムなどのエラストマーのみで作られた遮水シート１２を敷設し、法面１１には、図１に示すようなスダレ３を埋設した繊維補強遮水シート１を経糸４がシートの重量のかかる斜面に沿った方向にあわせ敷設する。
【００２３】
そして、底面１０に敷設した遮水シート１２と法面１１に敷設した遮水シート１を接合することによって本発明の遮水工法が完了する。
【００２４】
このような遮水工法を採ることによって、法面１１に敷設した遮水シート１に遮水シート自身の重量がかかっても経糸４によって伸びが防止され、法面１１に部分的な陥没などの不陸があっても緯糸５が切断することにより、経糸４同士の間隔が開いて、繊維補強遮水シート１のエラストマー２の部分が伸ばされ、不陸に沿うことができる。よって、繊維補強遮水シート１に破断が生じることは防止することができる。
【００２５】
本発明の遮水工法では、このように一方向のみに応力がかかる用途に用いることができ、法面１１に適用するという代表的な例を示したが、この例に限られるものではなく、一方向のみに応力がかかる部分であれば法面以外の部分にでも適用できる。
次に、本発明の実施例と比較例を挙げて比較実験を行った結果を説明する。
【実施例】
【００２６】
（実施例１）
実施例としては、エチレンプロピレンターポリマー（ＥＰＴ）中に、経糸がポリエステルからなる撚り糸であり、強度としては３０ｋｇｆ／ｃｍのものを用い、緯糸としては綿からなり、０．５ｋｇｆ／ｃｍのものを用いて織られたスダレを埋設した遮水シートを、深さ１０ｍの廃棄物処分場で斜度が４５°の法面に敷設した。
【００２７】
そして法面には、直径５０ｃｍの円形で深さ１０ｃｍの陥没部を設けておき、繊維補強遮水シートを敷設した上から直径が１０ｃｍの球形の錘を載せて３時間経過後の遮水シートの様子を観察した。
【００２８】
その結果、繊維補強遮水シートに破断した部分はなく、スダレの緯糸が切断することによって伸びが発生し、錘の形にほぼ沿って繊維補強遮水シートが沈み込んでいた。
【００２９】
（比較例１）
比較例１としては、ＥＰＴからなるゴム中に、強度が３０ｋｇｆ／ｃｍでポリエステルからなる経糸と緯糸を用いて平織した織布を埋設した以外は、実施例と同じ仕様の遮水シートを、同様の法面に敷設し錘を載せた部分の遮水シートを観察した。
【００３０】
その結果、遮水シートはほとんど伸びておらず、陥没部の底に対して錘が浮いた状態となっていた。一部分の遮水シートが破断しかかっていた。
【００３１】
（比較例２）
比較例２としては、ＥＰＴからなるゴムだけでできており、中には何も埋設していない以外は実施例と同じ仕様の遮水シートを用い、同様の法面に敷設し遮水シートを観察した。その結果、錘を載せた部分では錘の形状に沿って遮水シートが伸びており、陥没部に沈み込んでいたが、遮水シート全体も傾斜した方向に伸びており、法面の下方には弛みが発生していた。
【００３２】
よって本発明ではスダレを埋設してその経糸を遮水シートの重量がかかることにより応力がかかる法面の傾斜に沿って配置するように敷設しているので、遮水シートが弛むことはなく、また、法面に存在する陥没部などの不陸には緯糸が切断することにより、十分に沿うことができる。
【産業上の利用可能性】
【００３３】
本発明は、廃棄物処分場等の遮水工法として利用することができる。
【図面の簡単な説明】
【００３４】
【図１】繊維補強遮水シートの断面図である。
【図２】スダレの要部斜視図である。
【図３】繊維補強遮水シートに横方向の応力がかかった様子を示す断面図である。
【図４】廃棄物処分場の断面図である。
【符号の説明】
【００３５】
１    繊維補強遮水シート
２    エラストマー
３    スダレ
４    経糸
５    緯糸
１０  底面
１１  法面
【図１】
2007075815.tif 000003
【図２】
2007075815.tif 000004
【図３】
2007075815.tif 000005
【図４】
2007075815.tif 000006